(57)【特許請求の範囲】
【請求項１】
一次光源からの照明光を導光板に入射して前記導光板の出射面を発光させる面光源装置において、
前記導光板は、
所定の入射面より入射した前記一次光源からの照明光が、前記入射面に対して斜めに傾いた斜面で反射して前記導光板内を伝搬していくように構成されていると共に、
前記出射面及び／又は前記出射面と対向する面には、前記照明光の出射を促す加工が施され、
前記一次光源には、
近接して配置された発光色の異なる少なくとも２つの点状発光体が用いられ、
前記少なくとも２つの点状発光体は、
前記２つの点状発光体のうちの一方の点状発光体から出射し前記斜面で反射して前記出射面に向かう照明光の光束中心となる光の光路を、前記入射面に投影したときに、
該投影された光路上に、前記２つの点状発光体のうちの他方の点状発光体から出射した照明光の光束中心となる光の前記導光板への入射点が位置するように、
且つ、前記２つの点状発光体から出射した前記照明光の前記斜面で反射した後の前記導光板内を伝搬していく光路が、前記出射面側から見て略重なり合うように配置されている
ことを特徴とする面光源装置。
【請求項２】
前記複数の点状発光体は、
前記斜面の法線の前記入射面への射影にほぼ沿うように並べて配置された
ことを特徴とする請求項１に記載の面光源装置。
【請求項３】
前記入射面は、
前記導光板の任意の端縁に沿って形成された
ことを特徴とする請求項１又は請求項２に記載の面光源装置。
【請求項４】
前記入射面は、
前記導光板の任意のコーナーに形成された
ことを特徴とする請求項１又は請求項２に記載の面光源装置。
【請求項５】
請求項１、請求項２、請求項３又は請求項４に記載の面光源装置により液晶表示パネルを照明する
ことを特徴する表示装置。
【発明の詳細な説明】
【０００１】
【発明の属する技術分野】
本発明は、面光源装置及び表示装置に関し、例えば携帯電話の液晶表示装置に適用することができる。本発明は、導光板の出射面側から見て、照明光が導光板内を伝搬していく光路が重なり合うように複数の点状光源を近接して配置することにより、複数種類の発光ダイオード等により一次光源を構成する場合であっても、１の発光ダイオードの点灯時と他の発光ダイオードの点灯時とで輝度ムラが変化することによる表示画像の違和感を防止することができるようにする。
【０００２】
【従来の技術】
従来、携帯電話等に使用される液晶表示装置においては、面光源装置により液晶表示パネルを照明するようになされている。図５は、この種の液晶表示装置を示す分解斜視図である。この液晶表示装置１においては、液晶表示パネル２の背面に面光源装置３が配置され、この面光源装置３は、反射シート５、導光板６を順次積層して構成される。
【０００３】
ここで図６に断面を取って示すように、導光板６は、透明部材でなる例えばアクリル（ＰＭＭＡ樹脂）を射出成形して平板形状に形成され、所定の端面が入射面６Ｄとされる。面光源装置３においては、この入射面６Ｄに対向するように発光ダイオード８が配置される。
【０００４】
面光源装置３は、発光ダイオード８より出射される照明光を入射面６Ｄより導光板６に入射し、裏面６Ａ及び出射面６Ｂの間で反射を繰り返させて照明光を伝搬しながら、出射面６Ｂより照明光を出射する。なお反射シート５は、白色のシート材であり、裏面６Ａより漏れ出す照明光を反射して導光板６に再入射させ、これにより照明光の利用効率を向上させる。これにより面光源装置３は、点光源による一次光源の照明光により出射面６Ｂを発光させて面光源を構成するようになされている。
【０００５】
このような出射原理に係る面光源装置３においては、出射面６Ｂからの出射光の光量分布を均一化するために、照明光の出射を促す光散乱パターンが導光板６に作成される。すなわち光散乱パターンは、例えばマット面処理、対応する金型へのエッチング、放電加工等の適当な粗面化処理により、導光板６の出射面６Ｂ又は裏面６Ａを例えば円形形状に部分的に粗面化して形成される。これら光散乱パターンは、光散乱パターンの大きさ、光散乱パターンを配置するピッチ等を変えることにより、単位面積当たりに占める光散乱パターンの面積が光散乱パターンを形成する部位に応じて適宜調整される。これにより面光源装置においては、出射面６Ｂから出射される照明光が出射面の全面にわたって均一な光量となるようになされている。なお導光板６にあっては、光散乱パターンに代えて各部位に応じて粗さの程度を変えて出射面又は裏面の全面を粗面とすることにより、出射光量を均一化することもできる。
【０００６】
【発明が解決しようとする課題】
ところで、発光ダイオードを一次光源として使用する前述の如き液晶表示装置にあっては、発光色の異なる複数の発光ダイオード（例えば、それぞれ緑色又は赤色に発光する２種類の発光ダイオード）を用い、これらの発光ダイオードの駆動を切り換えることによって、液晶表示パネルに供給する照明光の色合いを変化させるようにしたものが市場において求められている。
【０００７】
しかしながら発光色の異なる発光ダイオードを用いて面光源装置を作成すると、照明光の色合いを切り換えた場合に、液晶表示パネル２に供給する照明光の均一性が各色毎に変化し、これにより表示画像に違和感が発生する問題があった。
【０００８】
すなわち２種類の発光ダイオードを用いて面光源装置を作成する場合を例に挙げると、図７に示すように、入射面６Ｄに沿って２種類の発光ダイオード８Ａ及び８Ｂを配置することが考えられる。しかしながらこのようにして発光ダイオード８Ａ及び８Ｂを配置すると、導光板６に作成された光散乱パターンによる照明光の分布が、発光ダイオード８Ａより出射された照明光と発光ダイオード８Ｂより出射された照明光とで大きく異なるようになる。なお図７においては、符号Ａ及びＢにより各発光ダイオード８Ａ及び８Ｂから出射される照明光の広がりを示すことにより、各照明光の分布を模式的に示す。
【０００９】
つまり１方の発光ダイオードを駆動している場合に、液晶表示パネル２にほぼ均一な光量により照明光を供給して表示画面を作成できるように光散乱パターンを設計すると、他方の発光ダイオードによる場合には、均一な光量により照明光を供給できなくなるというように、両方の発光ダイオードによる照明光の分布が同じになるように光散乱パターンを設計するのが困難であり、これにより照明光の色合いを切り換えた場合に、液晶表示パネル２に供給する照明光の均一性が変化して違和感が発生するようになる。
【００１０】
しかしながら、その一方で１つのパッケージに２種類のチップを封入した発光ダイオード（以下、２色の発光ダイオードと呼ぶ）も知られており、これを一次光源に使用すれば、１つの発光ダイオードから２色の光を供給することができるために、前述したような２種類の発光ダイオードを使用した場合の不具合を伴うことなく液晶表示パネルに供給する照明光の色合いを切り換えて、液晶表示装置における表示画面の色合いを切り換えることができる。
【００１１】
しかしながら２色の発光ダイオードにおいては、２種類の発光ダイオードチップ間で発光量のばらつきが大きいと、これにより液晶表示装置１においては、表示画面の色合いを切り換えた場合に、表示画面の明るさが変化する問題があるが、発光量のばらつきが小さいものを選別してこれらを１つのパッケージに封止して上記問題を解決しようとすると、その作業に多大な手間を用し、コスト的にも不利が生じてしまう。また２色の発光ダイオードにおいては、汎用性が乏しい欠点もあり、量産効果による低価格化もあまり期待できない。
【００１２】
これらのことから、従来、２色の発光ダイオードを用いることなく、発光色の異なる２種類の発光ダイオードを用いて面光源装置を構成することが望まれていた。すなわち２種類の発光ダイオードを使用する場合、既にパッケージされたものの中から発光量がほぼ同一のものを個々に選択するのは比較的容易であり、特性の揃った発光ダイオードを使用して面光源装置を作成することにより、異なる色合いの表示画面をほぼ同一の明るさにより提供できると考えられる。またこのような発光ダイオードにおいては、２色の発光ダイオードに比して汎用性が高い特徴もある。
【００１３】
本発明は以上の点を考慮してなされたもので、複数種類の発光ダイオードにより一次光源を構成する場合でも、一の発光ダイオードの点灯時と、他の発光ダイオードの点灯時とで輝度ムラが変化することによる画像の違和感を防止することができる面光源装置及び液晶表示装置を提案しようとするものである。
【００１４】
【課題を解決するための手段】
かかる課題を解決するため請求項１に係る発明においては、一次光源からの照明光を導光板に入射して導光板の出射面を発光させる面光源装置において、導光板は、所定の入射面より入射した一次光源からの照明光が、入射面に対して斜めに傾いた斜面で反射して導光板内を伝搬していくように構成されていると共に、出射面及び／又は出射面と対向する面には、照明光の出射を促す加工が施され、一次光源には、近接して配置された発光色の異なる少なくとも２つの点状発光体が用いられ、前記少なくとも２つの点状発光体は、前記２つの点状発光体のうちの一方の点状発光体から出射し前記斜面で反射して前記出射面に向かう照明光の光束中心となる光の光路を、前記入射面に投影したときに、該投影された光路上に、前記２つの点状発光体のうちの他方の点状発光体から出射した照明光の光束中心となる光の前記導光板への入射点が位置するように、且つ、前記２つの点状発光体から出射した前記照明光の前記斜面で反射した後の前記導光板内を伝搬していく光路が、前記出射面側から見て略重なり合うように配置されている。
【００１５】
また請求項２に係る発明においては、請求項１の構成において、複数の点状発光体は、斜面の法線の入射面への射影にほぼ沿うように並べて配置される。
【００１６】
また請求項３の発明においては、請求項１又は請求項２の構成において、入射面は、導光板の任意の端縁に沿って形成される。
【００１７】
また請求項４の発明においては、請求項１又は請求項２の構成において、入射面は、導光板の任意のコーナーに形成される。
【００１８】
また請求項５に係る発明においては、請求項１、請求項２、請求項３又は請求項４に記載の面光源装置により液晶表示パネルを照明する。
【００１９】
請求項１の構成によれば、出射面及び／又は出射面と対向する面に、照明光の出射を促す加工が施されていることにより、導光板の内部を伝搬する照明光の分布が大きく変化する場合には、出射光量の均一性が変化することになる。この場合に、一次光源が、近接して配置された発光色の異なる少なくとも２つの点状発光体が用いられ、前記少なくとも２つの点状発光体は、前記２つの点状発光体のうちの一方の点状発光体から出射し前記斜面で反射して前記出射面に向かう照明光の光束中心となる光の光路を、前記入射面に投影したときに、該投影された光路上に、前記２つの点状発光体のうちの他方の点状発光体から出射した照明光の光束中心となる光の前記導光板への入射点が位置するように、且つ、前記２つの点状発光体から出射した前記照明光の前記斜面で反射した後の前記導光板内を伝搬していく光路が、前記出射面側から見て略重なり合うように配置されていることにより、これら２つの点状発光体においては、導光板を伝搬する照明光の分布をほぼ等しくすることができる。これによりこれら２つの点状発光体による照明光をほぼ同一の輝度分布により出射でき、この輝度分布の相違による表示画像の違和感を防止することができる。
【００２０】
また請求項２の構成によれば、請求項１の構成において、複数の点状発光体は、斜面の法線の入射面への射影にほぼ沿うように並べて配置されことにより、具体的に発光ダイオードを配置して表示画像の違和感を防止することができる。
【００２１】
また請求項３の構成によれば、請求項１又は請求項２の構成において、入射面が導光板の任意の端縁に沿って形成されることにより、１つの辺に沿って一次光源を配置する構成において、表示画像の違和感を防止することができる。
【００２２】
また請求項４の構成によれば、請求項１又は請求項２の構成において、入射面が、導光板の任意のコーナーに形成されることにより、導光板のコーナーに一次光源を配置する構成において、表示画像の違和感を防止することができる。
【００２３】
また請求項５の構成によれば、請求項１、請求項２、請求項３又は請求項４に記載の面光源装置により液晶表示パネルを照明することにより、高品位の表示画像を形成することができる。
【００２４】
【発明の実施の形態】
以下、適宜図面を参照しながら本発明の実施の形態を詳述する。なお図面は、理解が容易となるように一部を極端に誇張して示す。
【００２５】
（１）実施の形態の構成
図１は、本発明の実施の形態に係る液晶表示装置を示す分解斜視図である。この液晶表示装置１１は、例えば携帯電話に適用される。なおこの図１に示す構成において、図５について上述した構成と同一の構成は、対応する符号を付して示し、重複した説明は省略する。
【００２６】
この液晶表示装置１１において、導光板１６は、例えばアクリル（ＰＭＭＡ樹脂等）、シクロオレフィン系ポリマー等の透明樹脂を射出成形して作成された透明板状部材であり、一定の肉厚により平板形状に作成される。液晶表示パネル２側の面である出射面１６Ｂ側より見た形状を図２（Ａ）に示すように、導光板１６は、出射面１６Ｂ側より見て全体が長方形形状により構成される。さらに導光板１６は、１つの短辺側両端のコーナーが平坦な面により切り落とされた形状により作成されて、あたかも大きく面取りされたような形状により作成される。なお、この図２（Ａ）においては、点線により囲まれる矩形形状の領域が、実際に画像の表示に供する有効発光領域である。
【００２７】
ここでこの切り落とされた形状による部位においては、裏面１６Ａ側に比して出射面１６Ｂ側が大きく切り落とされた形状となるように設定される。この部位においては、この切り落とした形状によりコーナーに形成される稜線と短辺との成す角度θ１がほぼ４５度の角度となるように形成される。また図２（Ａ）をＡ−Ａ線により断面を取って図２（Ｂ）に示すように、このコーナーに形成される斜めに傾いた面（以下斜面と呼ぶ）１６Ｃと裏面１６Ａとの成す角度θ２が、４５度〜２０度の範囲で、所定の角度に設定される。
【００２８】
導光板１６は、この斜面１６Ｃと対向する裏面１６Ａの部位が入射面１６Ｄに設定される。これにより導光板１６は、出射面１６Ｂ側より見たコーナーより一次光源の照明光を入射し、この照明光を斜面１６Ｃで反射する。さらに導光板１６は、この斜面１６Ｃで反射した照明光を出射面１６Ｂと裏面１６Ａとで繰り返し反射して伝搬しながら、照明光を出射面１６Ｂより出射する。
【００２９】
導光板１６は、このようにして出射面１６Ｂより出射する照明光の光量分布が均一となるように、形成される密度が調整された一定の大きさの光散乱パターンが出射面１６Ｂに形成される。
【００３０】
このように構成される導光板１６は（図１）、図示しないフレームに反射シート５と共に収納されて、図示しない配線基板上の所定位置に配置される。この配線基板は、この携帯電話に必要とされる液晶表示パネル２を駆動するための集積回路等が配置され、このように導光板１６を配置した際に、導光板１６の入射面１６Ｄと対向する各部位に１組の発光ダイオード１８Ａ及び１８Ｂが配置される。
【００３１】
これにより面光源装置１３は、この１組の発光ダイオード１８Ａ及び１８Ｂの駆動を切り換えることにより、液晶表示パネル２に供給する照明光の色合いを切り換えることができるようになされている。
【００３２】
ここで１組の発光ダイオード１８Ａ及び１８Ｂは、出射光量がほぼ等しく、さらに指向性がほぼ等しいものが適用される。さらに発光ダイオード１８Ａ及び１８Ｂは、導光板１６の出射面１６Ｂ側より見たときに、斜面１６Ｃで反射して導光板１６の内部を伝搬していく照明光の光路が重なり合うように、入射面１６Ｄへの斜面１６Ｃの法線の射影にほぼ沿うように並んで近接して配置される。これにより面光源装置１３では、導光板１６の内部を伝搬する照明光の分布が発光ダイオード１８Ａ及び１８Ｂで大きく異ならないようになされている。
【００３３】
さらに発光ダイオード１８Ａ及び１８Ｂは、このようにして近接して配置した際に、発光ダイオード１８Ａ及び１８Ｂにおける発光点が上記射影に沿うように、パッケージに封止されているチップの位置に応じて互いの位置関係を調整したり、図１に示すように斜面１６Ｃの形成方向に沿って傾いて配置されるようにするのが好ましい。
【００３４】
（２）実施の形態の動作
以上の構成において、この液晶表示装置１１においては（図１）、液晶表示パネル２の背面に配置された面光源装置１３より出射される照明光により液晶表示パネル２が照明され、これにより液晶表示パネル２の表示を目視することができる。
【００３５】
このようにして液晶表示パネル２を照明する面光源装置１３においては、液晶表示パネル２側より見た導光板１６の２つのコーナーにおいて、発光ダイオード１８Ａ又は１８Ｂより一次光源の照明光が出射され、この照明光が導光板１６の裏面１６Ａ側より導光板１６に入射した後、斜面１６Ｃで反射されて光路が折り曲げられる。
【００３６】
面光源装置１３においては、この照明光が出射面１６Ｂ、裏面１６Ａとの間で反射を繰り返しながら導光板１６の内部を伝搬し、臨界角以下の入射角により出射面１６Ｂに入射する照明光が出射面１６Ｂより出射される。これにより点光源から出射された照明光により導光板１６の出射面１６Ｂを発光させて面光源が構成され、この面光源による照明光により液晶表示パネル２が照明される。また同様にして、臨界角以下の入射角により裏面１６Ａに入射する照明光が裏面１６Ａより出射され、この照明光にあっては、反射シート５で反射されて導光板１６に再入射し、これにより照明光の利用効率が向上される。
【００３７】
さらにこのようにして導光板１６の内部を伝搬する照明光においては、出射面１６Ｂに形成された光散乱パターンにより散乱されて出射面１６Ｂからの出射が促され、これにより均一な光量により出射される。
【００３８】
このようにして導光板１６に入射して導光板１６の出射面１６Ｂより出射される照明光においては、導光板１６のコーナーに作成された斜面１６Ｃにより反射して導光板１６の内部を伝搬することにより、図３（Ｂ）に示すように、発光ダイオード１８Ａ、１８Ｂを並べて配置したときの発光点のズレが補正され、図３（Ａ）に示すように、出射面１６Ｂと平行な面内における照明光の伝搬について見れば、発光ダイオード１８Ａ及び１８Ｂにおいては、導光板１６に対して約９０度の角度の範囲で照明光を供給して、導光板１６の各部に漏れなく照明光を供給することができる。なおこの図３においては、図８との対比により、それぞれ発光ダイオード１８Ａ及び１８Ｂより出射される照明光の広がりを符号ＬＡ及びＬＢにより示す。
【００３９】
これにより面光源装置１３では、図５について上述した従来構成による場合のように、１つの辺に沿って一次光源を配置する場合に比して、導光板１６の内部を伝搬する照明光の極端な偏りを少なくすることができ、その分光散乱パターンを局所的に密に配置しなくても、十分に均一な出射光量により照明光を出射することができる。
【００４０】
このような照明光の出射原理に係る面光源装置１３においては、発光ダイオード１８Ａ及び１８Ｂの駆動を切り換えることにより、それぞれ発光ダイオード１８Ａ及び１８から照明光が選択的に出射される。さらにこの照明光により液晶表示パネル２が照明されることにより、表示画像の色合いが切り換えられる。すなわち例えば発光ダイオード１８Ａ及び１８Ｂにそれぞれ赤色及び緑色の発光ダイオードを適用することにより、表示画面の色合いを赤色、緑色、或いは各発光ダイオード１８Ａ、１８Ｂの光量を調整してこれらの中間色に設定することができる。
【００４１】
この場合に、面光源装置１３においては、これら発光ダイオード１８Ａ及び１８Ｂに、出射光量がほぼ等しく、さらに指向性がほぼ等しいものが適用され、さらには導光板１６の出射面１６Ｂ側より見たときに、斜面１６Ｃで反射して導光板１６の内部を伝搬していく照明光の光路が重なり合うように、入射面１６Ｄに対する斜面１６Ｃの法線の射影にほぼ沿って並んで近接して配置されていることにより、発光ダイオード１８Ａによる照明光と、発光ダイオード１８Ｂによる照明光とで、導光板１６の内部を伝搬する照明光の分布をほぼ等しくすることができ、これにより複数種類の発光ダイオードにより一次光源を構成する場合でも、表示画像の違和感を防止することが可能となる。
【００４２】
すなわち一般に、発光ダイオードにおいては、発光面の正面方向に最も多くの光量を出射し、これによりこの正面方向が主たる照明光の出射方向となる。さらに発光ダイオードは、パッケージング等に応じてこの正面方向からずれた方向へ向けて出射される出射光量が変化し、この実施の形態ではこの光量の変化により導光板１６の内部を伝搬する照明光の分布が決まることになる。
【００４３】
ところがこの実施の形態では、斜面１６Ｃで反射して導光板１６の内部を伝搬していく照明光の光路が重なり合うように、近接して発光ダイオード１８Ａ及び１８Ｂを配置したことにより、照明光の主たる出射方向については、ほぼ照明光の分布を等しくすることができる。
【００４４】
また上記射影に沿うように並んで近接して発光ダイオード１８Ａ及び１８Ｂを配置したことにより、それぞれ発光ダイオード１８Ａ及び１８Ｂより出射された照明光は、斜面１６Ｃで反射されるまでの光路差によって並んで配置されたことによる発光点のズレが補正され（図３（Ｂ）参照）、これにより発光ダイオード１８Ａ、１８Ｂのそれぞれからの照明光がほぼ等しい分布で出射面から出射される。
【００４５】
これらによりこの実施の形態では、各発光ダイオード１８Ａ及び１８Ｂで照明光の分布がほぼ等しく設定され、これにより照明光を切り換えた場合でも、出射光量の分布が変化しないようにでき、違和感を解消することが可能となる。
【００４６】
（３）実施の形態の効果
以上の構成によれば、導光板内を伝搬する照明光の光路が重なり合うように複数の発光ダイオードを近接して配置することにより、複数種類の発光ダイオードにより一次光源を構成する場合に、表示画像の違和感を防止することができる。
【００４７】
（４）他の実施の形態
なお上述の実施の形態においては、導光板の短辺側、両端に発光ダイオードを配置する場合について述べたが、本発明はこれに限らず、図４に示すように、導光板の１つの辺に沿って発光ダイオードを配置する場合にも広く適用することができる。
【００４８】
また上述の実施の形態においては、照明光の光路を折り曲げる斜面を平坦な面により構成する場合について述べたが、本発明はこれに限らず、必要に応じて曲面により斜面を構成する場合等にも広く適用することができる。
【００４９】
また上述の実施の形態においては、裏面側より照明光を入射する場合について述べたが、本発明はこれに限らず、図１の導光板１６を上下逆さまに配置して出射面側に入射面を設定する場合にも広く適用することができる。
【００５０】
また上述の実施の形態においては、出射面に光散乱パターンを配置する場合について述べたが、本発明はこれに限らず、裏面に作成してもよく、さらには裏面と表面とに作成してもよい。
【００５１】
また上述の実施の形態においては、粗面化の処理により光散乱パターンを作成して照明光の出射を促す加工を導光板に施す場合について述べたが、本発明はこれに限らず、導光板の表面に、微小なドーム形状を作成し照明光の出射を促す機能をこのドーム形状により付加する場合等にも広く適用することができる。
【００５２】
また上述の実施の形態においては、２種類の発光ダイオードにより一次光源を構成して交互に点灯する場合について述べたが、本発明はこれに限らず、３種類以上の発光ダイオードにより一次光源を構成する場合、さらには複数の発光ダイオードを同時に点灯する場合等にも広く適用することができる。このようにすれば、例えば赤色、青色、緑色の発光ダイオードにより白色の一次光源を構成する際に、出射面１６Ｂの各部で色バランスの乱れを防止することができ、色バランスの不均一化による違和感を解消することができる。また、各色の発光ダイオードの点灯と液晶セルの開閉とを同期させてカラー表示することもできる。また同種の発光ダイオードを使用して光量の調整範囲を広くすることもできる。
【００５３】
また上述の実施の形態においては、裏面側より照明光を入射する場合について述べたが、本発明はこれに限らず、導光板のコーナーを切り落としてなる斜面が出射面と対向するようにして、この斜面と対向する出射面の部位に入射面を設定するようにしてもよい。特にこのような態様のものは、反射型液晶表示パネルを前面側から照明する、いわゆるフロントライトとして適用する場合に好適である。またフロントライトに適用するにあたり、反射型液晶表示パネルの大きさが導光板と略同じか又は若干大きいような場合には、導光板のコーナーを切り落とすと共に、これと対応するように反射型液晶表示パネルのコーナーを切り欠き、この切り欠いた部位に発光ダイオードを位置せしめることにより、表示装置の薄型化を図ることができる。
【００５４】
更に、このようにフロントライトに適用する場合等にあたっても、入射面として設定される部位をそれ以外の部位（出射面）よりも突出させて入射光案内部を形成してもよい。この場合、上述のように反射型液晶表示パネルのコーナーを切り欠いて、この切り欠かれた部分に突出形成させた入射光案内部を係止させて反射型液晶表示パネルと導光板との位置合わせをするようにしてもよい。なおこのように構成する場合、反射型液晶表示パネルとの接触により入射光案内部に傷がついたりすると、入射光の伝搬に支障をきたす虞があるので、入射光案内部が反射型液晶表示パネルと接触する部位に傷がついたりしないように、入射光案内部側又は反射型液晶表示パネル側の少なくとも一方には、何らかの傷つき防止処理を施しておくことが望ましい。
【００５５】
また上述の実施の形態においては、導光板を一定の板厚により作成する場合について述べたが、本発明はこれに限らず、断面楔型により作成する場合にも広く適用することができる。
【００５６】
また上述の実施の形態においては、本発明を携帯電話に適用する場合について述べたが、本発明はこれに限らず、種々の電子機器に広く適用することができる。
【００５７】
また本発明は、導光板の内部を伝搬する光の光路を重なり合わせることとし、これを具体化するために上述の実施の形態で説明したような構成を採用するというものであって、この点が本発明の大きな特徴の一つである。このような本発明の特徴をなす構成以外のものは、本発明の効果を損なわない範囲で、又は本発明の効果より一層良好ならしむるために、面光源装置に関連する種々の技術が適用可能である。
【００５８】
例えば、導光板からの照明光の均一な出射を可能とする構成としては、上述の従来技術の説明で例示したような光散乱パターンの形状や導光板の粗面加工等の他、導光板を形成する主材料にこれと屈折率の異なる透明材料からなる微粒子を混入して導光板を成形したり、導光板の裏面又は出射面にその長手方向と直交する断面が例えば略Ｖ字形状となるような溝を、導光板内を伝搬する照明光の主伝搬方向に略沿うように又は主伝搬方向と略直交するように列設したりする等の構成を適宜採用することができる。また本発明においても、従来より面光源装置に利用されているプリズムシートや拡散シートと称されるような種々の光学部材を導光板に積層して用いて、面光源装置や液晶表示装置を構成することもできる。
【発明の効果】
上述のように本発明によれば、導光板の出射面側から見て、照明光が導光板内を伝搬していく光路が重なり合うように複数の点状光源を近接して配置することにより、複数種類の発光ダイオード等により一次光源を構成する場合であっても、１の発光ダイオードによる点灯時と他の発光ダイオードの点灯時とで輝度ムラが変化することによる表示画像の違和感を防止することができる。
【００５９】
【図面の簡単な説明】
【図１】本発明の実施の形態に係る液晶表示装置を示す分解斜視図である。
【図２】図１の液晶表示装置に適用される面光源装置の導光板を出射面側より見て示す平面図と、Ａ−Ａ線により切り取って示す断面図である。
【図３】図２との対比により斜面の近傍を詳細に示す平面図及び断面図である。
【図４】図３との対比により本発明の他の実施の形態に係る導光板を示す平面図である。
【図５】従来の液晶表示装置を示す分解斜視図である。
【図６】図５の液晶表示装置に適用される面光源装置の説明に供する断面図である。
【図７】図６の面光源装置における一次光源を２種類の発光ダイオードにより構成した場合の説明に供する平面図である。
【符号の説明】
１、１１……液晶表示装置、２……液晶表示パネル、３、１３……面光源装置、５……反射シート、６、１６……導光板、６Ａ、１６Ａ……裏面、６Ｂ、１６Ｂ……出射面、６Ｃ、１６Ｃ……斜面、６Ｄ、１６Ｄ……入射面、８、１８……発光ダイオード
【図１】
0003770371.tif 000002
【図２】
0003770371.tif 000003
【図３】
0003770371.tif 000004
【図４】
0003770371.tif 000005
【図５】
0003770371.tif 000006
【図６】
0003770371.tif 000007
【図７】
0003770371.tif 000008